(57)【特許請求の範囲】
【請求項１】
複数の硬貨を金種別に収納する硬貨収納部と、
商品の合計金額と予想される複数の受領額から釣銭予測を行い、予測される釣銭額に必要な各硬貨の金種毎の枚数を算出する手段と、
前記算出された枚数に相当する硬貨を前記硬貨収納部から搬送する搬送機構と、
金種別に１又は２個設けられ、前記搬送機構により搬送された硬貨を、前記算出された金種毎の枚数に対応して一時的に収納する複数のバッファと、
前記商品の合計金額と実際の受領額から釣銭の支払額を算出する手段と、
前記算出された支払額に基づいて、該支払額に対応する硬貨を収納した前記バッファを選択する手段と、
前記選択したバッファから硬貨を取り出された硬貨を溜めるための釣銭受け皿と、
を具備し、
前記バッファは、５００円玉１枚を収納する第１のバッファと、１００円玉を収納する第２及び第３のバッファと、５０円玉１枚を収納する第４のバッファと、１０円玉を収納する第５及び第６のバッファと、５円玉１枚を収納する第７のバッファと、１円玉を収納する第８のバッファと、を有することを特徴とする釣銭支払い装置。
【請求項２】
前記第２のバッファは、前記商品の合計金額の１００円の位が“０”又は“５”の場合は１００円玉を４枚を収納し、前記１００円の位が１から４までの場合は１００円玉を数値５から前記１００円の位の数値を引いた枚数収納し、前記１００円の位が６から９までの場合は１００円玉を数値１０から前記１００円の位の数値を引いた枚数収納し、
前記第３のバッファは、前記１００円の位が“０”又は“５”でない場合は１００円玉を前記第２のバッファの収納枚数から数値１を引いた枚数収納し、
前記第５のバッファは、前記商品の合計金額の１０円の位が“０”又は“５”の場合は１０円玉を４枚を収納し、前記１０円の位が１から４までの場合は１０円玉を数値５から前記１０円の位の数値を引いた枚数収納し、前記１０円の位が６から９までの場合は１０円玉を数値１０から前記１０円の位の数値を引いた枚数収納し、
前記第６のバッファは、前記１０円の位が“０”又は“５”でない場合は１０円玉を前記第５のバッファの収納枚数から数値１を引いた枚数収納し、
前記第８のバッファは、前記商品の合計金額の１円の位が１から４までの場合は１円玉を数値５から前記１円の位の数値を引いた枚数収納し、前記１円の位が６から９までの場合は１円玉を数値１０から前記１円の位の数値を引いた枚数収納するものであることを特徴とする請求項１記載の釣銭支払い装置。
【請求項３】
前記第４のバッファは、前記１０円の位が“０”で且つ前記１円の位が“０”または“５”の場合は、前記５０円玉を収納せず、前記第７のバッファは、前記１円の位 が“０” または“５”の場合は、前記５円玉を収納しないことを特徴とする請求項２記載の釣銭支払い装置。
【請求項４】
複数枚の硬貨を金種別に収納する硬貨収納部と、前記硬貨を金種別に一時的に収納する複数のバッファと、前記硬貨収納部から前記各バッファまで前記硬貨を搬送する搬送機構と、前記したバッファから取り出された硬貨を溜めるための釣銭受け皿と、を備えた釣銭支払い装置を制御するための、コンピュータ読み取り可能な釣銭支払いプログラムであって、
商品の合計金額が確定されたら、該合計金額と予想される複数の受領額から釣銭予測を行い、予測される釣銭額に必要な各硬貨の金種毎の枚数を算出する手順と、
前記搬送機構を駆動し、前記算出された枚数に相当する硬貨を前記硬貨収納部から前記バッファまで搬送させる手順と、
前記搬送された硬貨のうち、金種を定めた１枚の硬貨を金種別に予め対応付けされたバッファに収納する第１の格納手順と、前記第１の格納手順により収納される金種とは異なる金種を定めた１枚または複数枚の硬貨を金種別に予め対応付けられた１つまたは釣銭額を違えて２つのバッファに収納する第２の格納手順とを有して、前記搬送された硬貨を前記算出された金種毎の枚数に対応させて前記バッファに収納させる手順と、
実際の受領額が確定したら、前記商品の合計金額と実際の受領額から釣銭の支払額を算出する手順と、
前記算出された支払額に基づいて、該支払額に対応する硬貨を収納した前記バッファを選択し、該選択したバッファ内の硬貨を前記釣銭受け皿に送出させる手順と、
をコンピュータに実施させることを特徴とする釣銭支払いプログラム。
【発明の詳細な説明】
【技術分野】
【０００１】
本発明の実施形態は、ＰＯＳ（Point Of Sale）端末や電子式キャッシュレジスタ等に接続して使用される釣銭支払い装置及び釣銭支払いプログラムに関する。
【背景技術】
【０００２】
従来、ＰＯＳ端末や電子式キャッシュレジスタには、商品の合計金額と客からの受領額によって釣銭額を算出し、算出した釣銭額を自動的に支払うための釣銭支払い装置が接続されている。
【０００３】
この釣銭支払い装置は、１円，５円，１０円，５０円，１００円，５００円の硬貨を金種別に収納する硬貨収納部と、硬貨収納部から取り出された硬貨を搬送する搬送部と、搬送部により搬送された硬貨を釣銭受け皿等に集める釣銭払い出し部とを有している。そして、ＰＯＳ端末や電子式キャッシュレジスタから釣銭の払出し指令を受けると、硬貨収納部から釣銭額に相当する分の硬貨を１枚ずつ取り出し、取り出した硬貨を搬送部により搬送し、搬送された硬貨を釣銭受け皿に集めるようにしている。
【０００４】
しかし、硬貨収納部から硬貨を取り出し、釣銭受け皿まで搬送する排出動作に時間が掛かるため、客から現金を受け取ってから釣銭を支払うまでに時間が掛かるという問題がった。これは、レジの混雑を招く大きな要因となる。
【先行技術文献】
【特許文献】
【０００５】
【特許文献１】特開２０００−２２２６２５号公報
【特許文献２】特開２００７−０６６３２８号公報
【発明の概要】
【発明が解決しようとする課題】
【０００６】
前述したように従来の釣銭支払い装置は、釣銭の支払い指示を受けた後の排出動作に時間が掛かるため、レジの混雑を招く等の問題があった。
【０００７】
本発明の一実施形態は、釣銭の支払い指示から釣銭受け皿に釣銭が集まるまでの時間を短縮することができ、レジの混雑緩和等に寄与し得る釣銭支払い装置及び釣銭支払いプログラムを提供することを目的とする。
【課題を解決するための手段】
【０００８】
実施形態によれば、釣銭支払い装置において、複数の硬貨を金種別に収納する硬貨収納部と、商品の合計金額と予想される複数の受領額から釣銭予測を行い、予測される釣銭額に必要な各硬貨の金種毎の枚数を算出する手段と、前記算出された枚数に相当する硬貨を前記硬貨収納部から搬送する搬送機構と、金種別に１又は２個設けられ、前記搬送機構により搬送された硬貨を、前記算出された金種毎の枚数に対応して一時的に収納する複数のバッファと、前記商品の合計金額と実際の受領額から釣銭の支払額を算出する手段と、前記算出された支払額に基づいて、該支払額に対応する硬貨を収納した前記バッファを選択する手段と、前記選択したバッファから硬貨を取り出された硬貨を溜めるための釣銭受け皿と、を具備し、前記バッファは、５００円玉１枚を収納する第１のバッファと、１００円玉を収納する第２及び第３のバッファと、５０円玉１枚を収納する第４のバッファと、１０円玉を収納する第５及び第６のバッファと、５円玉１枚を収納する第７のバッファと、１円玉を収納する第８のバッファと、を有することを特徴とする。
【図面の簡単な説明】
【０００９】
【図１】第１の実施形態に係わる釣銭支払い装置を示す概略構成図。
【図２】図１の銭支払い装置に用いたバッファ部の構成と硬貨の移動の様子を示す模式図。
【図３】第１の実施形態における基本的な動作を説明するためのフローチャート。
【図４】予想される受領額と必要な各硬貨の枚数との関係を示す図。
【図５】第１の実施形態における具体的な動作を説明するためのフローチャート。
【図６】第２の実施形態における具体的な動作を説明するためのフローチャート。
【発明を実施するための形態】
【００１０】
以下、実施の形態について、図面を参照して説明する。
【００１１】
（第１の実施形態）
図１は、第１の実施形態に係わる釣銭支払い装置を示す概略構成図である。図１（ａ）は釣銭を受け皿側に移動する場合、図１（ｂ）は釣銭を釣銭収納部側に戻す場合である。なお、図には示さないが、本実施形態の釣銭支払い装置はＰＯＳ端末や電子式キャッシュレジスタに接続されている。
【００１２】
図中の１０は複数種（１円，５円，１０円，５０円，１００円，５００円）の硬貨を金種別に収納した硬貨収納部であり、この硬貨収納部１０には、例えば硬貨投入口（図示せず）から投入された硬貨が振り分けて収納される。また、硬貨収納部１０内の硬貨は、指定された枚数の硬貨が金種別に１枚ずつ取り出されるようになっている。
【００１３】
硬貨収納部１０内から取り出された硬貨は、ベルトコンベア型の搬送機構２１により搬送され、バッファ部３０に搬送されるようになっている。バッファ部３０は後述するように８つのバッファを有するものであり、各々のバッファに決められた金種の硬貨が一時的に収納されるようになっている。
【００１４】
バッファ部３０に収納された硬貨は、バッファ部３０の８つのバッファの何れかを同時に選択することにより、選択されたバッファ内の硬貨が一括して取り出される。バッファから取り出された各硬貨は、切り替えレバー４０の位置により、釣銭受け皿５０又は搬送機構２２に送られる。そして、釣銭受け皿５０に送られた硬貨は、釣銭として支払われる。一方、搬送機構２２に送られた硬貨は、硬貨収納部１０に戻される。
【００１５】
図２は、バッファ部３０の構成と硬貨の移動の様子を示す模式図である。
【００１６】
バッファ部３０は８つのバッファ３１〜３８からなり、第１のバッファ３１には５００円玉、第２及び第３のバッファ３２，３３には１００円玉、第４のバッファ３４には５０円玉、第５及び第６のバッファ３４，３５には１０円玉、第７のバッファ３７には５円玉、第８のバッファ３８には１円玉が収納されるようになっている。また、各々のバッファ３１〜３８は底部にシャッターを有し、シャッターを開くことにより収納した硬貨を下部に排出するようになっている。
【００１７】
搬送機構２１により搬送された硬貨は、図２に示すように金種毎に対応するバッファ３１〜３８に収納される。例えば、硬貨収納部１０から取り出された５００円玉はバッファ３１に収納され、１００円玉は指定された枚数毎にバッファ３２，３３に振り分けて収納される。硬貨を各バッファ３１〜３８に振り分ける手段としては、例えば各バッファ３１〜３８の上部にシャッターを設けておき、搬送機構２１により搬送された硬貨に相当するバッファの上部側シャッターを開くようにすればよい。
【００１８】
一方、バッファ３１〜３８に収納された硬貨は、任意のバッファを選択し、選択したバッファの底部側のシャッターを開くことにより、選択したバッファ内の硬貨のみ下方に取り出される。バッファから取り出された硬貨は、切り替えレバー４０を前記図１（ａ）の状態にしておくことにより、釣銭受け皿５０に送られる。一方、図１（ａ）の状態で選択されなかったバッファを、切り替えレバー４０を前記図１（ｂ）の状態に切り替えた後に選択することにより、これらのバッファ内の硬貨は搬送機構２２に送られ、釣銭収納部１０に戻されるようになっている。
【００１９】
なお、これらの制御は、コンピュータとその機能を制御するアプリケーションプログラム（釣銭支払いプログラム）とによって実施することができる。この場合、プログラムは、商品の合計金額が確定されたら、該合計金額と予想される複数の受領額から釣銭予測を行い、予測される釣銭額に必要な各硬貨の金種毎の枚数を算出する手順と、搬送機構２１を駆動し、算出された枚数に相当する硬貨を硬貨収納部１０からバッファ３１〜３８まで搬送させる手順と、搬送された硬貨を、算出された金種毎の枚数に対応させてバッファ３１〜３８に収納させる手順と、実際の受領額が確定したら、商品の合計金額と実際の受領額から釣銭の支払額を算出する手順と、算出された支払額に基づいて、該支払額に対応する硬貨を収納したバッファ３１〜３８を選択し、該選択したバッファ内の硬貨を釣銭受け皿５０に送出させる手順と、をコンピュータに実施させる。
【００２０】
次に、本実施形態の基本的な動作を図３のフローチャートを参照して説明する。
【００２１】
まず、ＰＯＳ端末や電子式キャッシュレジスタにより商品の合計金額が入力されると、例えば商品のスキャンが終了したことをオペレータが入力すると（ステップＳ１）、釣銭予測を行い（ステップＳ２）、予測される釣銭額に必要な各硬貨の枚数を算出する（ステップＳ３：硬貨枚数算出手段）。算出された枚数に相当する硬貨を硬貨収納部１０から取り出し、搬送機構２１によりバッファ部３０まで搬送する（ステップＳ４）。そして、搬送された硬貨を対応するバッファ３１〜３８に振り分ける（ステップＳ５）。
【００２２】
例えば、５００円玉の場合は、硬貨収納部１０に５００円玉１枚の取り出し信号を送ると共に、バッファ３１に上部シャッター開の信号を送る。即ち、取り出し信号とシャッター開の信号を共用する。これにより、硬貨収納部１０から５００円玉が取り出され搬送された後に、バッファ３１に収納される。１００円玉の場合は、硬貨収納部１０に１００円玉ａ枚の取り出し信号を送ると共に、バッファ３２に上部シャッター開の信号を送る。これにより、硬貨収納部１０から１００円玉がａ枚取り出され搬送された後に、バッファ３２に収納される。さらに、硬貨収納部１０に１００円玉（ａ−１）枚の取り出し信号を送ると共に、バッファ３３に上部シャッター開の信号を送る。これにより、硬貨収納部１０から１００円玉が（ａ−１）枚取り出され搬送された後に、バッファ３３に収納される。５０円玉、１０円玉、５円玉、１円玉に関しても同様に行う。
【００２３】
各バッファ３１〜３８への硬貨の収納が終了した状態で、客からの現金の受領額が入力されたら（ステップＳ６）、商品の合計金額と実際の受領額から釣銭の支払額を算出する（ステップＳ７：釣銭支払額算出手段）。算出した支払額に基づいて、支払額に対応する硬貨を収納したバッファを同時に選択する（ステップＳ８）。即ち、支払額に対応する対応するバッファの底部側シャッターを同時に開く。このとき、レバー４０は釣銭受け皿５０側にしておく。これにより、選択したバッファから取り出された硬貨が一括して釣銭受け皿５０に収容されることになる（ステップＳ９）。
【００２４】
その後は、レバー４０を搬送機構２２側にし、残りのバッファを選択することにより、釣銭として支払われなかった硬貨を硬貨収納部１０に戻す（ステップＳ１０）。
【００２５】
このように、商品の合計金額が確定すると、予測される釣銭に必要な硬貨がバッファ３１〜３８に搬送され収納される。つまり、商品スキャン終了時の合計金額と予想される複数の受領額から事前に釣銭を予測し、客が金銭を出している間に釣銭の排出準備をする。そして、客からの実際の受領額を入力することにより、バッファ３１〜３８の幾つかが選択され、選択されたバッファから釣銭に必要な硬貨が同時に釣銭受け皿５０に送られることになる。
【００２６】
次に、本実施形態をより具体的に説明する。
【００２７】
例えば、商品の価格が“３７２円”の場合で説明する。予想される支払額に対する釣銭における必要な各硬貨の枚数は図４に示すようになる。即ち、５００円玉は１枚、１００円玉は２枚又は１枚、５０円玉は１枚、１０円玉は３枚又は２枚、５円玉は１枚、１円玉は３枚となる。従って、バッファに必要な部屋は８となる。即ち、５００円玉１枚を一時的に収納する第１のバッファ３１と、１００円玉を一時的に収納する第２及び第３のバッファ３２，３３と、５０円玉１枚を一時的に収納する第４のバッファ３４と、１０円玉を一時的に収納する第５及び第６のバッファ３５，３６と、５円玉１枚を一時的に収納する第７のバッファ３７と、１円玉を一時的に収納する第８のバッファ３８が必要となる。
【００２８】
ここで、バッファの数は、以下に説明するように商品の合計金額に関係なく、常に８個で済むことになる。
【００２９】
５００円玉、５０円玉、５円玉に関しては、常に１枚又は０枚であるから、各々１つのバッファでよいのは明らかである。
【００３０】
商品の合計金額の１００円の位Ｐ100 が“０”又は“５”の場合は１００円硬貨４枚を収納すればよい。Ｐ100 が１〜４の場合は１００円硬貨（５−Ｐ100 ）枚を収納する場合と、それより１枚少ない枚数を収納する場合がある。Ｐ100 が６〜９の場合は１００円硬貨（１０−Ｐ100 ）枚を収納する場合と、それより１枚少ない枚数を収納する場合がある。即ち、１００円玉に関しては、２つのバッファがあればよいことになる。
【００３１】
商品の合計金額の１０円の位Ｐ10 が“０”又は“５”の場合は１０円硬貨４枚を収納すればよい。Ｐ10 が１〜４の場合は１０円硬貨（５−Ｐ10 ）枚を収納する場合と、それより１枚少ない枚数を収納する場合がある。Ｐ10 が６〜９の場合は１０円硬貨（１０−Ｐ10 ）枚を収納する場合と、それより１枚少ない枚数を収納する場合がある。即ち、１０円玉に関しては、２つのバッファがあればよいことになる。
【００３２】
商品の合計金額の１の位Ｐ1 が１〜４の場合は１円硬貨（５−Ｐ1 ）枚を収納し、Ｐ1 が６〜９の場合は１円硬貨（１０−Ｐ1 ）枚を収納すればよい。従って、１円玉に関しては、１つのバッファがあればよいことになる。つまり、合計の８つのバッファ３１〜３があれば対応できることになる。
【００３３】
ここで、単純に各硬貨の枚数別にバッファを用意すると、５００円玉、５０円玉，５円玉は各１つでよいが、１００円玉，１０円玉，及び１円玉に関してはそれぞれ４つ必要となり合計で１５個となる。本実施形態では、釣銭予測を行い、予測される釣銭に必要な各硬貨の枚数を金種毎に算出することにより、バッファの数を１５個から８個へと約半数に減らすことができる。これは、バッファ数の削減と共にバッファ３１〜３８の設置に必要な容積を減らすことができ、装置コストの低減に寄与することになる。
【００３４】
次に、図５のフローチャートを参照して、釣銭支払い動作をより具体的に説明する。
【００３５】
まず、商品の金額又は合計金額Ｐが設定されたら（ステップＳ１１）、５００円玉、５０円玉、５円玉の各１枚をそれぞれのバッファ３１，３４，３７にセットする（ステップＳ１２）。
【００３６】
次いで、合計金額Ｐの１００の位Ｐ100 が“０”又は“５”であるか否かを判定し（ステップＳ１３）、“０”又は“５”の場合は、バッファ３２に１００円玉を４枚セットする（ステップＳ１４）。そうでない場合は、Ｐ100 が１〜４であるか否かを判定し（ステップＳ１５）、１〜４の場合はバッファ３２に１００円玉を（５−Ｐ100 ）枚セットし（ステップＳ１６）、６〜９の場合は、バッファ３２に１００円玉を（１０−Ｐ100 ）枚セットする（ステップＳ１７）。また、バッファ３３には、Ｐ100 が“０”又は“５”でない場合に、バッファ３２の収納枚数ａとしたとき１００円硬貨（ａ−１）枚を収納する（ステップＳ１８）。
【００３７】
次いで、合計金額Ｐの１０の位Ｐ10 が“０”又は“５”であるか否かを判定し（ステップＳ１９）、“０”又は“５”の場合は、バッファ３５に１０円玉を４枚セットする（ステップＳ２０）。そうでない場合は、Ｐ10 が１〜４であるか否かを判定し（ステップＳ２１）、１〜４の場合はバッファ３５に１０円玉を（５−Ｐ10 ）枚セットし（ステップＳ２２）、６〜９の場合は、バッファ３５に１０円玉を（１０−Ｐ10 ）枚セットする（ステップＳ２３）。また、バッファ３６には、Ｐ10 が“０”又は“５”でない場合に、バッファ３５の収納枚数ｂとしたとき１０円硬貨（ｂ−１）枚を収納する（ステップＳ２４）。
【００３８】
次いで、合計金額Ｐの１の位Ｐ1 が“０”又は“５”であるか否かを判定し（ステップＳ２５）、“０”又は“５”でない場合は、Ｐ1 が１〜４であるか否かを判定する（ステップＳ２６）。そして、Ｐ1 が１〜４の場合はバッファ３８に１円玉を（５−Ｐ1 ）枚セットし（ステップＳ２７）、そうでない場合はバッファ３８に１円玉を（１０−Ｐ1 ）枚セットする（ステップＳ２８）。
【００３９】
ここまでのステップで、バッファ３１〜３８に対する硬貨のセットは終了する。
【００４０】
次いで、客からの受領額が入力されたら、合計金額と受領額から釣銭額を算出し、算出された釣銭額の各桁の枚数に対応するバッファ３１〜３８を同時に選択することにより、釣銭受け皿５０に自動的に釣銭が収容されることになる（ステップＳ２９）。
【００４１】
このように本実施形態によれば、商品スキャン終了時の合計金額と予想される複数の受領額から事前に釣銭を予測し、客が金銭を出している間に釣銭の排出準備をすることにより、客からの受領額を入力するとほぼ同時に釣銭を用意することができる。これにより、釣銭の支払い指示から釣銭受け皿５０に釣銭が集まるまでの時間を短縮することができ、レジの混雑緩和等に寄与することができる。
【００４２】
（第２の実施形態）
図６は、第２の実施形態を説明するためのもので、バッファ３１〜３８への硬貨の収納方法を示すフローチャートである。
【００４３】
基本的な装置構成は、先に説明した第１の実施形態と同様であるので、ここでは省略する。
【００４４】
本実施形態では、前記図５のフローチャートの各ステップに加え、Ｓ２５とＳ２６との間に５円玉１枚をバッファ３７にセットするステップＳ６１が追加され、Ｓ２５とＳ２９との間にＰ10 が“０”であるか否かを判定するステップＳ６２、そうでない場合に５０円玉１枚をバッファ３４にセットするステップ６３が追加されている。そして、Ｓ１２では５００円玉１枚をバッファ３１にセットするようになっている。
【００４５】
第１の実施形態では、図５のＳ１２で５００円玉，５０円玉，５円玉を各１枚ずつバッファに収納したが、５０円玉，５円玉に関しては予想される釣銭額によっては必要ない場合がある。そこで本実施形態では、バッファ３４は、Ｐ10 が“０”で且つＰ1 が“０”または“５”の場合は５０円玉を収納せず、バッファ３７は、Ｐ1 が“０”又は“５”の場合は５円玉を収納しないようにしている。
【００４６】
このような構成であっても、先に説明した第１の実施形態と同様の効果が得られるのは勿論のことである。
【００４７】
（変形例）
なお、本発明は上述した各実施形態に限定されるものではない。実施形態では、硬貨の最高額を５００円としたが、更なる高額の硬貨が流通される場合にも対応することができる。即ち、前記図４に示した表に更なる高額の硬貨の欄を設けて、釣銭の一時収納に必要なバッファ数を求めることにより、５００円よりも高額の硬貨を用いる場合に対応することが可能である。さらに、硬貨は必ずしも“円”に限るものではなく、他の通貨に適用することも可能である。
【００４８】
また、硬貨収納部からバッファへの硬貨の搬送機構、搬送された硬貨のバッファへの硬貨の振り分け機構は、特に特徴を有するものではなく、周知の技術を用いればよい。さらに、複数のバッファの配置位置や順番等は前記図２に何ら限定されるものではなく、仕様に応じて適宜変更可能である。
【００４９】
また、前記実施形態は、装置内部の記憶部に発明の機能を実現させる制御プログラムが予め記録されているものとした。しかしこれに限らず、同様のプログラムがネットワークから装置にダウンロードされてもよい。或いは、記録媒体に記録された同様のプログラムが、装置にインストールされてもよい。記録媒体は、ＣＤ−ＲＯＭ，メモリカード等のようにプログラムを記憶でき、且つ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００５０】
本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５１】
１０…硬貨収納部
２１，２２…搬送機構
３０…バッファ部
３１〜３８…バッファ
４０…切り替えレバー
５０…釣銭受け皿
【図１】
0005409666.tif 000002
【図２】
0005409666.tif 000003
【図３】
0005409666.tif 000004
【図４】
0005409666.tif 000005
【図５】
0005409666.tif 000006
【図６】
0005409666.tif 000007